【手続補正書】
【提出日】平成26年7月17日(2014.7.17)
【手続補正１】
【補正対象書類名】明細書
【補正対象項目名】００３６
【補正方法】変更
【補正の内容】
【００３６】
円盤駆動部２４０は、回転円盤２３０を所定の回転方向に回転させる駆動部である。円盤駆動部２４０は、円盤モータ２４２と、ギア列２４４とを有する。円盤モータ２４２は、ギア列２４４を介して回転駆動力を伝達し、回転円盤２３０に取り付けられた回転軸２３２を回転させる。これにより、回転円盤２３０も、回転軸２３２の回転方向と同一方向に回転する。
【手続補正２】
【補正対象書類名】明細書
【補正対象項目名】００４８
【補正方法】変更
【補正の内容】
【００４８】
（回転ディスク４２０）
回転ディスク４２０は、樹脂製の円板形状の部材であり、回転することにより選別ハウジング４１０上の硬貨を搬送する。回転ディスク４２０は、選別ハウジング４１０内に設けられ、ハウジング底面４１２上で水平に回転する。回転ディスク４２０は、ディスク駆動部４３０の回転駆動力を受けて、回転ディスク４２０に固定された回転軸４２６を回転中心として所定の回転方向に回転する。
【手続補正３】
【補正対象書類名】明細書
【補正対象項目名】００４９
【補正方法】変更
【補正の内容】
【００４９】
ここで、図５〜図７を参照しながら、回転ディスク４２０の詳細構成について説明する。図５は、第１の実施形態に係る回転ディスク４２０を上側から見た斜視図である。図６は、第１の実施形態に係る回転ディスク４２０を下側から見た斜視図である。図７は、図６の部分Ａを拡大した図であり、搬送切り欠き部４２４を示す図である。
【手続補正４】
【補正対象書類名】明細書
【補正対象項目名】００５１
【補正方法】変更
【補正の内容】
【００５１】
円板部４２１は、回転ディスク４２０の中央側に位置する平板状の部分である。円板部４２１は、ハウジング底面４１２と平行になるように、選別ハウジング４１０内に配置されている。円板部４２１の中央には、回転軸４２６と嵌合する嵌合部４２１ａが設けられている。
【手続補正５】
【補正対象書類名】明細書
【補正対象項目名】００５２
【補正方法】変更
【補正の内容】
【００５２】
環状リブ４２２は、回転ディスク４２０の外周部に、円周方向に環状に設けられたリブである。環状リブ４２２は、回転ディスク４２０の半径方向において、円板部４２１から所定間隔だけ離れて設けられている。環状リブ４２２の回転ディスク４２０の軸方向の幅は、リブの回転ディスク４２０の半径方向の幅（厚み）よりも大きい。
【手続補正６】
【補正対象書類名】明細書
【補正対象項目名】００５４
【補正方法】変更
【補正の内容】
【００５４】
搬送切り欠き部４２４は、環状リブ４２２の底部に形成された切り欠き部である。搬送切り欠き部４２４は、図５及び図６に示すように、円周方向に沿って所定間隔で複数設けられている。搬送切り欠き部４２４は、回転ディスク４２０の回転に伴い、硬貨を保持しながら硬貨を一枚ずつ搬送する。搬送切り欠き部４２４は、図７に示すように、硬貨搬送部の一例である保持部４２４ａと、搬送壁４２４ｂと、逃げ部４２４ｃと、を有する。
【手続補正７】
【補正対象書類名】明細書
【補正対象項目名】００６２
【補正方法】変更
【補正の内容】
【００６２】
（ディスク駆動部４３０）
ディスク駆動部４３０は、回転ディスク４２０を回転駆動させる駆動部である。ディスク駆動部４３０は、図４に示すように、ディスクモータ４３２と、ギア列４３４とを有する。ディスクモータ４３２は、ギア列４３４を介して回転駆動力を伝達し、回転軸４２６を回転させる。これにより、回転軸が固定された回転ディスク４２０も、回転軸４２６の回転方向と同一方向に回転する。なお、ディスク駆動部４３０は、回転ディスク４２０を間欠回転するように、回転駆動力を伝達する。
【手続補正８】
【補正対象書類名】明細書
【補正対象項目名】００７５
【補正方法】変更
【補正の内容】
【００７５】
排出口開閉板４７０ａ（第１板部４７１ａ及び第２板部４７１ｂ）は、図１１に示すように、硬貨排出口４５０ａの搬送方向下流側に位置する回転軸４７１ｄを中心に回動する。排出口開閉板４７０ａは、回動することで、硬貨排出口４５０ａを塞ぐ閉位置（図１１で破線で示す位置）と、硬貨排出口４５０ａを開放する開位置（図１１で実線で示す位置）とに位置する。
【手続補正９】
【補正対象書類名】明細書
【補正対象項目名】００７８
【補正方法】変更
【補正の内容】
【００７８】
（リジェクト口開閉板４７４）
リジェクト口開閉板４７４は、図１４に示すように、回動することにより、第１リジェクト口４６１を開閉する。リジェクト口開閉板４７４は、第１リジェクト口４６１を塞ぐ閉位置と、第１リジェクト口４６１を開放する開位置と、の間で回動する。なお、リジェクト口開閉板４７４の構成及び動作は、上述した排出口開閉板４７０ａの構成及び動作と同一なので、詳細な説明は省略する。
【手続補正１０】
【補正対象書類名】明細書
【補正対象項目名】００７９
【補正方法】変更
【補正の内容】
【００７９】
リジェクト口開閉板４７４が閉位置に位置する際には、回転ディスク４２０により搬送される硬貨が、リジェクト口開閉板４７４上を通過する。リジェクト口開閉板４７４が開位置に位置する際には、回転ディスク４２０により搬送されるリジェクト硬貨や異物が、リジェクト口開閉板４７４にガイドされることで、第１リジェクト口４６１に落下して排出される。
【手続補正１１】
【補正対象書類名】明細書
【補正対象項目名】００８２
【補正方法】変更
【補正の内容】
【００８２】
（異物等検知センサ４８２）
異物等検知センサ４８２は、本来なら第１リジェクト口４６１から排出されるべきリジェクト硬貨や異物が、第１リジェクト口４６１から実際に排出されたか否かを検知する。異物等検知センサ４８２は、図３に示すように、回転ディスク４２０の硬貨の搬送方向において、第１リジェクト口４６１と硬貨排出口４５０ａとの間に位置する。
【手続補正１２】
【補正対象書類名】明細書
【補正対象項目名】００９２
【補正方法】変更
【補正の内容】
【００９２】
選別ハウジング４１０内へ搬入された硬貨は、図１３（ｃ）に示すように、搬入検出センサ４８０によって搬入が検出される。そして、搬入検出センサ４８０によって硬貨が検出されると、図１３（ｄ）、図１３（ｅ）に示すように、回転ディスク４２０は、回転を再開する。これにより、回転ディスク４２０の環状リブ４２２が、硬貨を搬送する。
【手続補正１３】
【補正対象書類名】明細書
【補正対象項目名】００９９
【補正方法】変更
【補正の内容】
【００９９】
上記では、認識センサ３４０で真性硬貨が認識された場合について、説明したが、リジェクト硬貨や異物が認識された場合には、以下の動作が実行される。すなわち、認識センサ３４０でリジェクト硬貨や異物が認識された場合には、リジェクト口開閉板４７４が開位置に位置し、リジェクト硬貨や異物が回転ディスク４２０の回転中に第１リジェクト口４６１から排出される。
【手続補正１４】
【補正対象書類名】明細書
【補正対象項目名】０１０６
【補正方法】変更
【補正の内容】
【０１０６】
図１６に示すように、フィルム部材６３０は、回転ディスク６２０の環状リブ４２２の外周を、回転ディスク６２０の円周方向に沿って覆っている。フィルム部材６３０は、図１７に示すように、基材６３１と、接着層６３３と、を有する。基材６３１は、例えば、ＰＥＴフィルム等の樹脂フィルムから成る。接着層６３３は、例えば両面テープから成る。接着層６３３は、基材６３１のほぼ全ての領域に形成されている。
【手続補正１５】
【補正対象書類名】図面
【補正対象項目名】図３
【補正方法】変更
【補正の内容】
【図３】
2013145488.tif 000001
【手続補正１６】
【補正対象書類名】図面
【補正対象項目名】図４
【補正方法】変更
【補正の内容】
【図４】
2013145488.tif 000002